(57)【要約】【課題】左右いずれの方向からでも開封でき、開封後の端部が美麗であって、この端部により手指を傷つける恐れのない開封線、引裂帯、及び、それを設けた紙箱を提供する。【解決手段】紙箱に設けられた開封線１００であって、Ｕ字状の切れ目線１と直線状の切れ目線２がつなぎ部分３を介して、繰り返し設けられ、Ｕ字状の切れ目線の下端部と直線状の切れ目線の直線が同一直線上に形成されている。そして、Ｕ字状の切れ目線が、下端部に直線部分１ａと、直線部分の右端にＳ字状に、左端に逆Ｓ字状にそれぞれ外側に傾斜する曲線部分１ｂとからなっている。また、引裂帯は、この開封線を、Ｕ字状の切れ目線の左右の上端部が向かい合うようにして、二つ平行に並べて設けられている。【選択図】図２
2015013652.tif 000002
【特許請求の範囲】
【請求項１】
紙箱に設けられた開封線であって、Ｕ字状の切れ目線と直線状の切れ目線がつなぎ部分を介して、繰り返し設けられ、前記Ｕ字状の切れ目線の下端部と前記直線状の切れ目線の直線が同一直線上に形成されていることを特徴とする開封線。
【請求項２】
前記Ｕ字状の切れ目線が、下端部に直線部分と、該直線部分の右端にＳ字状に、左端に逆Ｓ字状にそれぞれ外側に傾斜する曲線部分とからなることを特徴とする請求項１に記載の開封線。
【請求項３】
前記Ｕ字状の切れ目線の左右の上端部が、前記Ｕ字状の切れ目線の下端部と前記直線状の切れ目線の直線が並んでいる直線と、略平行になるように形成されていることを特徴とする請求項１または２に記載の開封線。
【請求項４】
前記Ｕ字状の切れ目線の左右端と前記直線状の切れ目線とが、垂直方向において重なるように設けられていることを特徴とする請求項１から３のいずれか１項に記載の開封線。
【請求項５】
請求項１から４のいずれか１項に記載の開封線を、前記Ｕ字状の切れ目線の左右の上端部が向かい合うようにして、二つ平行に並べて設けられ形成されていることを特徴とする引裂帯。
【請求項６】
請求項１から４のいずれか１項に記載の開封線が、設けられていることを特徴とする紙箱。
【請求項７】
請求項５に記載の引裂帯が、設けられていることを特徴とする紙箱。
【発明の詳細な説明】
【技術分野】
【０００１】
本発明は、開封線、引裂帯、及び、紙箱に関する。特に、お菓子などの食品や医薬品等を収納した紙箱などに、その開封手段として使用する開封線、引裂帯、及び、それを設けた紙箱に関する。
【０００２】
更には、高齢者や子供、あるいは、左利きの人にも容易に開封可能となるように、左右いずれの方向からも簡単に開封可能で、開封した後が美麗な開封線、引裂帯、及び、紙箱に関する。
【背景技術】
【０００３】
従来から、お菓子などの食品や医薬品等を収納した紙箱などに、その開封手段として開封線や引裂帯が設けられている。その多くは左右いずれか一方から開封するように設けられているものがほとんどであった（例えば、特許文献１や特許文献２）。
【０００４】
しかし、このように左右いずれか一方からしか開封できないと、高齢者や子供、あるいは、左利きの人などにとって、開封しにくい場合があり、そのため、左右いずれの方向からでも開封できるように考えられたものが開発されてきた。
【０００５】
例えば、開封方向に沿って規則的に同一位相で二列に断続する長い直線切込線と、該各々長い切込線の両端部に開封方向に直角な短い直線切込線を備えた紙器開封用ジッパー（引裂帯）がある（特許文献３）。
【０００６】
また、図８のように、両方向からの開封を可能にするために、Ｕ字状の切れ目線４と、直線状の切れ目線２をつなぎ部分３を介して破線状に連設した開封線５００を、Ｕ字状の下部先端が対向するように設けた、両方向開封帯（引裂帯６００）がある（特許文献４）。
【０００７】
公知文献を以下に示す。
【先行技術文献】
【特許文献】
【０００８】
【特許文献１】特開２００４−２２４３６８号公報
【特許文献２】実公平１−２６６２５号公報
【特許文献３】特開平１０−１０１０６４号公報
【特許文献４】実登３０７９６４９号公報
【発明の概要】
【発明が解決しようとする課題】
【０００９】
前述の特許文献３や特許文献４の引裂帯においては、左右いずれの方向からでも開封できるが、開封してできる切断した端部が、凹凸を有する形状となってしまう。そのため手指を傷つけたりする恐れがあるとともに、開封後の紙箱の見映えも悪いものとなってしまう。
【００１０】
本発明は上記のような事情に鑑みてなされたもので、左右いずれの方向からでも開封でき、開封後の端部が美麗であって、この端部により手指を傷つける恐れのない開封線、引裂帯、及び、それを設けた紙箱を提供することを課題とする。
【課題を解決するための手段】
【００１１】
本発明の請求項１の発明は、紙箱に設けられた開封線であって、Ｕ字状の切れ目線と直線状の切れ目線がつなぎ部分を介して、繰り返し設けられ、前記Ｕ字状の切れ目線の下端部と前記直線状の切れ目線の直線が同一直線上に形成されていることを特徴とする開封線である。
【００１２】
本発明の請求項２の発明は、前記Ｕ字状の切れ目線が、下端部に直線部分と、該直線部分の右端にＳ字状に、左端に逆Ｓ字状にそれぞれ外側に傾斜する曲線部分とからなることを特徴とする請求項１に記載の開封線である。
【００１３】
本発明の請求項３の発明は、前記Ｕ字状の切れ目線の左右の上端部が、前記Ｕ字状の切れ目線の下端部と前記直線状の切れ目線の直線が並んでいる直線と、略平行になるように形成されていることを特徴とする請求項１または２に記載の開封線である。
【００１４】
本発明の請求項４の発明は、前記Ｕ字状の切れ目線の左右端と前記直線状の切れ目線とが、垂直方向において重なるように設けられていることを特徴とする請求項１から３のいずれか１項に記載の開封線である。
【００１５】
本発明の請求項５の発明は、請求項１から４のいずれか１項に記載の開封線を、前記Ｕ字状の切れ目線の左右の上端部が向かい合うようにして、二つ平行に並べて設けられ形成されていることを特徴とする引裂帯である。
【００１６】
本発明の請求項６の発明は、請求項１から４のいずれか１項に記載の開封線が、設けられていることを特徴とする紙箱である。
【００１７】
本発明の請求項７の発明は、請求項５に記載の引裂帯が、設けられていることを特徴とする紙箱である。
【発明の効果】
【００１８】
本発明の開封線、引裂帯、及び、それを設けた紙箱は、左右いずれの方向からでも開封でき、開封後の端部が美麗であって、この端部により手指を傷つける恐れがない。
【図面の簡単な説明】
【００１９】
【図１】本発明の開封線の一例の説明図である。
【図２】本発明の開封線の一例を説明する部分拡大図である。
【図３】本発明の引裂帯の一例の説明図である。
【図４】本発明の開封線の一例を設けた紙箱の展開図である。
【図５】本発明の開封線の一例を設けた紙箱の開封した状態を斜視で示した説明図である。
【図６】本発明の引裂帯の一例を設けた紙箱の展開図である。
【図７】本発明の引裂帯の一例を設けた紙箱の開封した状態を斜視で示した説明図である。
【図８】従来の引裂帯の一例の説明図である。
【発明を実施するための形態】
【００２０】
以下本発明を実施するための形態につき説明する。
図１は、本発明の開封線の一例の説明図である。図２は、本発明の開封線の一例を説明する部分拡大図である。
【００２１】
本例の開封線１００は、図１のように、Ｕ字状の切れ目線１と直線状の切れ目線２がつ
なぎ部分３を介して設けられ、Ｕ字状の切れ目線１の下端部と、直線状の切れ目線２の直線が同一直線上に並ぶ形で繰り返し形成されている。
【００２２】
そして、Ｕ字状の切れ目線１の左右端と直線状の切れ目線２とが、垂直方向において重なるように設けられている。また、Ｕ字状の切れ目線１の左右の上端は、Ｕ字状の切れ目線１の下端部と前記直線状の切れ目線２が並んでいる直線と、略平行になるように設けられている。
【００２３】
また、Ｕ字状の切れ目線１は、図２のように、下端部に直線部分１ａと、直線部分１ａの右端にＳ字状に、左端に逆Ｓ字状にそれぞれ外側に傾斜する曲線部分１ｂとからなっている。開封するとき、引っ張って、ひずみが多くかかる側にＵ字状の切れ目線１の曲線部分１ｂが向くように、開封線１００を設ける。
【００２４】
このとき、つなぎ部分３で、Ｕ字状の切れ目線１の下端部の直線部分１ａと、直線状の切れ目線２との距離Ｘは２ｍｍ以下が望ましい。距離Ｘが２ｍｍを越えると開封に際して、つなぎ部分３で破断がつながらずに逸れてしまい、開封線１００から外れて破断してしまうことがある。
【００２５】
また、Ｕ字状の切れ目線１の曲線部分１ｂと、直線状の切れ目線２とが垂直方向で重なっている距離Ｙは０．５ｍｍ以上が望ましい。０．５ｍｍ未満の場合では、開封に際して、つなぎ部分３で破断がつながらずに逸れてしまい、開封線１００から外れて破断してしまうことがある。
【００２６】
以上のように、本例の開封線１００は、開封が容易で、開封後の切断された端部が美麗であって、この端部により手指を傷つける恐れがない。
【００２７】
図３は、本発明の引裂帯の一例の説明図である。
【００２８】
本例の引裂帯２００は、図３のように、二つの開封線１００、１００が、Ｕ字状の切れ目線１の左右の曲線部分１ｂの端部が向かい合うようにして、平行に並べて設けられて形成されている。
【００２９】
このような配置で並べられているので、左右いずれの端から引裂帯２００を引っ張って破断しても、ひずみが多くかかる側にＵ字状の切れ目線１の曲線部分１ｂが向いているので、開封が容易で、開封後の切断された端部が美麗であって、この端部により手指を傷つける恐れがない。
【００３０】
図４は、本発明の開封線の一例を設けた紙箱の展開図である。図５は、本発明の開封線の一例を設けた紙箱の開封した状態を斜視で示した説明図である。
【００３１】
本例の開封線１００を設けた紙箱３００は、図４のように、左側面板１１、正面板１２、右側面板１３、背面板１４と、貼着板１５とが順次連設されている。正面板１２の上端には、天面板１６が延設され、正面板１２の下端には、底面板１７が延設されている。
【００３２】
背面板１４の上端には、天面接着板１８が延設され、背面板１４の下端には、底面接着板１９が延設されていて、それぞれ、天面板１６の内側面、底面板１７の内側面に貼着するようになっている。
【００３３】
そして、正面板１２と背面板１４のそれぞれの上端寄りには、開封線１００が、Ｕ字状の切れ目線１の左右の曲線部分１ｂの端部が上を向くようにして水平方向に直線状に設け
られている。
【００３４】
左側面板１１と右側面板１３の上下の端部には、フラップ２０、２０、２０、２０がそれぞれ設けられている。左側面板１１と右側面板１３には、破線状の切込みによる易切断線２１、２１が、その両端を開封線１００に接続するように水平方向に設けられている。また、易切断線２１、２１よりそれぞれ２本の破線状の罫線（押罫）による押込み補助線２２、２２が上方に広がるように設けられている。
【００３５】
背面板１４の左右中央の上端と下端には、破線状の切り込みによる破断線２３、２３が、背面板１４の中央に向かって凸の円弧状の曲線で設けられている。また、破断線２３、２３の両端から左右に向けて易切断線２４、２４が設けられている。
【００３６】
紙箱３００を製函するには、まず、左側面板１１、正面板１２、右側面板１３、背面板１４を筒状に折って、貼着板１５を左側面板１１の裏面に貼着してサック状（筒状）にする。
【００３７】
次に、下のフラップ２０、２０を内方に折り、底面接着板１９を内方に折って重ね、更に、底面板１７を内方に折り、底面板１７の裏面を底面接着板１９の表面に貼着する。これにより、底部分が形成される。
【００３８】
この底部分が形成された紙箱３００の中に収納物を入れ、上のフラップ２０、２０を内方に折り、天面接着板１８を内方に折って重ね、更に、天面板１６を内方に折り、天面板１６の裏面を天面接着板１８の表面に貼着する。これにより、紙箱３００が製函される。
【００３９】
紙箱３００を開封するには、左側面板１１または右側面板１３の易切断線２１の中央を指で押して、易切断線２１を破断する。このとき、近傍の押込み補助線２２、２２を介して左側面板１１または右側面板１３は内方に折れ曲がり、易切断線２１の破断を容易にする。
【００４０】
易切断線２１で切断された左側面板１１または右側面板１３の上の部分の下端に、指を入れて、持ち上げるように引っ張ると、図５のように、正面板１２と背面板１４の開封線１００、１００は引っ張られた側から切断されていく。
【００４１】
そして開封線１００、１００が切断されると、右側面板１３または左側面板１１のみでつながった状態になるので、右側面板１３または左側面板１１の易切断線２１を切断する。これによって、紙箱３００の上部は切り離され、開封される。図５では、左側面板１１から開封しているが、右側面板１３から開封しても同様である。
【００４２】
また、再封に際しては、切り離された紙箱３００の上部に設けられた押込み補助線２２、２２を内方に押し込むことで変形させ、紙箱３００の下部の開口内に嵌め込むことで再封することができる。
【００４３】
以上のように、本例の開封線１００を設けた紙箱３００は、開封が容易で、開封後の切断された端部が美麗であって、この端部により手指を傷つける恐れがない。
【００４４】
この開封された紙箱３００は、上部、下部ともに底のある筒状になっていて、つぶして減容化しにくいので、指で破断線２３、２３を押し破り破断し、易切断線２４、２４を切断すると、サック状にすることができ、扁平状に折り畳むなど減容化して廃棄することができる。
【００４５】
図６は、本発明の引裂帯の一例を設けた紙箱の展開図である。図７は、本発明の引裂帯の一例を設けた紙箱の開封した状態を斜視で示した説明図である。
【００４６】
本例の引裂帯２００を設けた紙箱４００は、図６のように、左側面板１１、正面板１２、右側面板１３、背面板１４と、貼着板１５とが順次連設されている。正面板１２の上端には、天面板１６が延設され、正面板１２の下端には、底面板１７が延設されている。
【００４７】
背面板１４の上端には、天面接着板１８が延設され、背面板１４の下端には、底面接着板１９が延設されていて、それぞれ、天面板１６の内側面、底面板１７の内側面に貼着するようになっている。
【００４８】
そして、正面板１２の上端寄りには、引裂帯２００が、水平方向に向けて設けられている。また、背面板１４の上端寄りには、折罫２５が、水平方向に向けて設けられている。折罫２５は、引裂帯２００よりも高い位置に設けられている。
【００４９】
左側面板１１と右側面板１３の上下の端部には、フラップ２０、２０、２０、２０がそれぞれ設けられている。左側面板１１と右側面板１３には、破線状の切込みによる易切断線２１、２１が、その両端を引裂帯２００と折罫２５に接続するように斜め方向に設けられている。
【００５０】
紙箱４００を製函するには、まず、左側面板１１、正面板１２、右側面板１３、背面板１４を筒状に折って、貼着板１５を左側面板１１の裏面に貼着してサック状にする。
【００５１】
次に、下のフラップ２０、２０を内方に折り、底面接着板１９を内方に折って重ね、更に、底面板１７を内方に折り、底面板１７の裏面を底面接着板１９の表面に貼着する。これにより、底部分が形成される。
【００５２】
この底部分が形成された紙箱４００の中に収納物を入れ、上のフラップ２０、２０を内方に折り、天面接着板１８を内方に折って重ね、更に、天面板１６を内方に折り、天面板１６の裏面を天面接着板１８の表面に貼着する。これにより、紙箱４００が製函される。
【００５３】
紙箱４００を開封するには、正面板１２に設けられた引裂帯２００を、左右いずれかの端より引っ張って剥がし、取り去る。そして、引裂帯２００を取り去った正面板１２の上の部分を持ち上げると、易切断線２１、２１が切断され、折罫２５で折り曲げられて、図７のように、上部がつながった状態で折り返されて、開封することができる。
【００５４】
この開封された紙箱４００は、上部、下部ともに底のある筒状になっていて、つぶして減容化しにくいので、前記紙箱３００と同様に、円弧状の破断線２３、２３を背面板１４の上下端に設けることで、サック状にすることができ、減容化して廃棄することができる。
【００５５】
以上のように、本例の引裂帯２００を設けた紙箱４００は、引裂帯２００を設けてあるので、開封が容易で、開封後の切断された端部が美麗であって、この端部により手指を傷つける恐れがない。
【００５６】
本例の紙箱４００では、引裂帯２００を正面板１２にのみ設けたが、背面板１４にも引裂帯２００を設けて、開封するときに、正面板１２と背面板１４に設けた引裂帯２００、２００をそれぞれ引っ張って剥がし取り去り、しかる後、易切断線２１、２１を切断して、前述の紙箱３００のように、紙箱の上部を切り離して、開封するようにしても良い。
【符号の説明】
【００５７】
１００・・・開封線
２００・・・引裂帯
３００、４００・・・紙箱
１・・・Ｕ字状の切れ目線
１ａ・・・直線部分
１ｂ・・・曲線部分
２・・・直線状の切れ目線
３・・・つなぎ部分
１１・・・左側面板
１２・・・正面板
１３・・・右側面板
１４・・・背面板
１５・・・貼着板
１６・・・天面板
１７・・・底面板
１８・・・天面接着板
１９・・・底面接着板
２０、２０、２０、２０・・・フラップ
２１、２１、２４、２４・・・易切断線
２２、２２・・・押込み補助線
２３、２３・・・破断線
２５・・・折罫
【図１】
2015013652.tif 000003
【図２】
2015013652.tif 000004
【図３】
2015013652.tif 000005
【図４】
2015013652.tif 000006
【図５】
2015013652.tif 000007
【図６】
2015013652.tif 000008
【図７】
2015013652.tif 000009
【図８】
2015013652.tif 000010